(57)【特許請求の範囲】
【請求項１】
遊技者に対面する機器前面にコイン投入口を備え、
このコイン投入口の溝にコインが投入されて遊技が行われるコイン遊技機において、
前記溝の長手方向は、遊技者から機器前面に向かう方向に形成され、
前記溝の幅は、複数枚の前記コインを同時に投入できる大きさに形成され、
前記コイン投入口は、前記溝が、遊技者から機器前面に向かう前記方向を中心に斜め左および斜め右の任意の位置に無段階に傾くように回動することを特徴とするコイン遊技機。
【発明の詳細な説明】
【０００１】
【発明の属する技術分野】
本発明は、コイン投入口にコインが投入されて遊技が行われるコイン遊技機に関するものである。
【０００２】
【従来の技術】
従来、この種のコイン遊技機としては、例えば、図３の斜視図に示すスロットマシン１がある。
【０００３】
スロットマシン１の遊技者に対面する機器前面の上半部には表示パネル２が設けられており、この表示パネル２の各窓３にはそれぞれ回転リール４が臨んでいる。これら各回転リール４の外周には種々のシンボルが描かれている。また、機器前面の下半部には化粧パネル５が枠６に保持されている。この化粧パネル５の表面にはキャラクター等の図示しない情報が描かれている。化粧パネル５の背面側の機器内部には蛍光灯が内蔵されており、キャラクター等の絵柄はこの蛍光灯が出射する光によって裏面側から映し出されている。
【０００４】
遊技の開始に先立ち、遊技者によって投入口７にコインが投入され、スタートレバー８が操作されると、各リール４は回転し出す。これに引き続く遊技者による各ストップボタン９の操作により、各リール４の回転は停止する。停止時に各窓３に表示されるシンボルの組み合わせにより、入賞が生じる。入賞が得られた場合には、化粧パネル５の下方にある払出口１０から受け皿１１に入賞役に応じた枚数のコインが払い出される。
【０００５】
【発明が解決しようとする課題】
しかしながら、上記従来のスロットマシン１の投入口７は、図４（ａ）の一部拡大斜視図に示すように、遊技媒体であるコイン２１が投入される溝７ａの長手方向が機器前面に平行な横方向に形成されている。同図（ｂ）はこの溝７ａの平面図である。従って、この溝７ａにコイン２１を挿入するには、遊技者の右手２２の親指と人差し指との間に挟持しているコイン２１を、同図の矢印の方向に回転させる必要がある。つまり、遊技者は、コイン２１をつかんだ後、投入口７へ投入する前にコイン２１の向きを一度指で直す必要がある。
【０００６】
このため、上記従来のスロットマシン１においては、投入口７へのコイン２１の連続投入がし難かった。特に初心者にとってはこの連続投入が難しく、コイン２１を落下してしまうことが多く、遊技をスムーズに進め難かった。
【０００７】
【課題を解決するための手段】
本発明はこのような課題を解決するためになされたもので、遊技者に対面する機器前面にコイン投入口を備え、このコイン投入口の溝にコインが投入されて遊技が行われるコイン遊技機において、上記溝の長手方向は、遊技者から機器前面に向かう方向に形成され、上記溝の幅は、複数枚のコインを同時に投入できる大きさに形成され、上記コイン投入口は、上記溝が、遊技者から機器前面に向かう方向を中心に斜め左および斜め右の任意の位置に無段階に傾くように回動することを特徴とする。
【０００８】
このようにコイン投入口の溝の長手方向が遊技者から機器前面に向かう方向に形成されていると、遊技者は、親指と人差し指との間に挟持しているコインの向きを直すことなく、投入口にコインをそのまま投入することが出来る。また、コイン投入口の溝の幅が複数枚のコインを同時に投入できる大きさに形成されていると、遊技者は、コインの投入回数を減らすことが出来る。
【００１０】
また、このようにコイン投入口が無段階に回動して傾く構成にすると、遊技者の利き手に合わせて溝の長手方向の角度を任意の位置に調節することが出来る。つまり、遊技者の利き手が右手である場合には溝の長手方向を斜め左に傾け、また、遊技者の利き手が左手である場合には溝の長手方向を斜め右に傾けることにより、遊技者は手首の関節を曲げることなく、より自然な姿勢で投入口にコインを投入することが出来る。
【００１１】
【発明の実施の形態】
次に、本発明によるコイン遊技機を上述したスロットマシンに適用した第１の実施形態について説明する。
【００１２】
図１（ａ）は本実施形態によるスロットマシンの遊技者に対面する機器前面に設けられた投入口３１の斜視図であり、同図（ｂ）はこの投入口３１の溝３１ａの平面図である。このスロットマシンは、コイン投入口３１の溝３１ａにコイン２１が投入されて上述したようにスロットマシン遊技が行われる。なお、機械内部に一旦投入されたコイン２１は、遊技開始前であれば、返却ボタン３２を押下することにより、受け皿１１に返却される。
【００１３】
本実施形態によるスロットマシンでは、投入口３１の溝３１ａの長手方向が、遊技者から機器前面に向かう縦方向に形成されている。このようにコイン投入口３１の溝３１ａの長手方向が遊技者から機器前面に向かう縦方向に形成されていると、遊技者は、右手２２の親指と人差し指との間に挟持しているコイン２１の向きを従来のように直すことなく、投入口３１にコイン２１をそのまま投入することが出来る。
【００１４】
従って、投入口３１へのコイン２１の連続投入はし易くなり、初心者であっても、コイン２１を落下することなく容易に連続投入が行える。この結果、遊技がスムーズに進められ、遊技者は遊技に集中することが可能となる。
【００１５】
また、溝３１ａの幅を大きくし、複数枚例えば４〜５枚のコイン２１を同時に溝３１ａに投入できるようにすれば、コイン２１の投入回数を減らすことが出来、遊技における遊技者の疲労を減らすことが出来る。この場合、投入されたコイン２１は、機械内部でコイン通路を１枚づつ通過するように整列され、このコイン通路等に設けられたコインセンサによってその投入枚数が計数される。
【００１６】
次に、本発明によるコイン遊技機を上述したスロットマシンに適用した第２の実施形態について説明する。
【００１７】
図２（ａ），（ｂ）は本実施形態によるスロットマシンの遊技者に対面する機器前面に設けられた投入口４１の平面図である。本実施形態による投入口４１の溝４１ａは、通常は同図（ａ）に示すように、その長手方向が遊技者から機器前面に向かう縦方向に向いている。
【００１８】
しかし、このコイン投入口４１の溝４１ａは、同図（ｂ）に示すように、遊技者から機器前面に向かう縦方向Ｃを中心に斜め左方向Ｌおよび斜め右方向Ｒの任意の位置に無段階に傾くように構成されている。また、この投入口４１に続くコイン通路は、例えばリング状のスプリングが螺旋状に巻かれて構成され、コイン２１の通過方向を中心にしてフレキシブルに回動するように構成されている。投入されたコインは、螺旋の巻き方向に沿ってその向きを変更しながらコイン通路を通り、コイン通路の出口つまりホッパー入口に至るまでにその向きは半強制的にホッパー入口の向きに変えられ、ホッパーに収容される。
【００１９】
なお、本実施形態においても、機械内部に一旦投入されたコイン２１は、遊技開始前であれば、返却ボタン４２を押下することにより、受け皿１１に返却される。
【００２０】
このようにコイン投入口４１の溝４１ａが任意の位置に無段階に傾く構成になっていると、遊技者の利き手に合わせて溝４１ａの長手方向の角度を調節することが出来る。つまり、遊技者の利き手が右手である場合には溝４１ａの長手方向を斜め左方向Ｌに傾け、また、遊技者の利き手が左手である場合には溝４１ａの長手方向を斜め右方向Ｒに傾けることにより、遊技者は手首の関節を曲げることなく、人間工学的により自然な姿勢で投入口４１にコイン２１を投入することが出来る。
【００２１】
【発明の効果】
以上説明したように本発明によれば、コイン投入口の溝の長手方向が遊技者から機器前面に向かう方向に形成されているため、遊技者はコインの向きを直すことなく投入口にコインをそのまま投入することが出来る。このため、コインの連続投入がし易くなり、遊技がスムーズに進められ、遊技者は遊技に集中することが可能となる。また、コイン投入口の溝の幅が複数枚のコインを同時に投入できる大きさに形成されているため、遊技者はコインの投入回数を減らすことが出来る。このため、遊技における遊技者の疲労を減らすことが出来る。
【００２２】
また、コイン投入口が無段階に回動して傾く構成により、遊技者の利き手に合わせて溝の長手方向の角度を任意の位置に調節することが出来、より自然な姿勢で投入口にコインを投入することが出来る。
【図面の簡単な説明】
【図１】（ａ）は本発明の第１の実施形態によるスロットマシンの投入口を示す斜視図、（ｂ）はこの投入口の溝の平面図である。
【図２】（ａ）は本発明の第２の実施形態によるスロットマシンの投入口を示す平面図、（ｂ）はこの投入口が傾くことを示す平面図である。
【図３】従来のスロットマシンの全体構成を示す斜視図である。
【図４】（ａ）は従来のスロットマシンの投入口を示す斜視図、（ｂ）はこの投入口の溝の平面図である。
【符号の説明】
２１…コイン
２２…遊技者の右手
３１，４１…コイン投入口
３１ａ，４１ａ…コイン投入口３１，４１の溝
３２，４２…返却ボタン
【図１】
0003891713.tif 000002
【図２】
0003891713.tif 000003
【図３】
0003891713.tif 000004
【図４】
0003891713.tif 000005